(57)【特許請求の範囲】
【請求項１】
第１の地点に関する第１の地点情報を含む地図データを記憶する地図データ記憶部と、
前記地図データ以外から取得され、第２の地点に関する第２の地点情報を記憶する拡張記憶部と、
前記第１の地点情報を含む前記地図データ、および前記第２の地点情報に基づいて、表示装置に表示すべき表示情報を生成する表示情報生成部とを備え、
前記第１の地点情報は、前記第１の地点に存在する第１の施設に関する情報を含み、
前記第２の地点情報は、前記第２の地点に存在する第２の施設に関する情報を含み、
前記表示情報生成部は、
前記第１の地点と前記第２の地点との距離が予め定める範囲内である場合、前記第１の地点情報および前記第２の地点情報の優先度に基づいて、前記第１の施設を表す第１の表示オブジェクト、および前記第２の施設を表す第２の表示オブジェクトのうち、優先度が高い方の地点情報で規定される地点に存在する施設を表す表示オブジェクトを優先的に表示するように、前記表示情報を生成し、
前記表示情報生成部は、前記第１の地点情報および前記第２の地点情報の取得先の信頼度に基づいて、前記第１の地点情報および前記第２の地点情報の優先度を判断することを特徴とする表示情報生成システム。
【請求項２】
第１の地点に関する第１の地点情報を含む地図データを記憶する地図データ記憶部と、
前記地図データ以外から取得され、第２の地点に関する第２の地点情報を記憶する拡張記憶部と、
前記第１の地点情報を含む前記地図データ、および前記第２の地点情報に基づいて、表示装置に表示すべき表示情報を生成する表示情報生成部とを備え、
前記第１の地点情報は、前記第１の地点に存在する第１の施設に関する情報を含み、
前記第２の地点情報は、前記第２の地点に存在する第２の施設に関する情報を含み、
前記表示情報生成部は、
前記第１の地点と前記第２の地点との距離が予め定める範囲内である場合、前記第１の地点情報および前記第２の地点情報の取得先に基づいて、前記第１の施設を表す第１の表示オブジェクト、および前記第２の施設を表す第２の表示オブジェクトのうち、少なくとも一方の表示オブジェクトを前記取得先毎に定める表示形態で表示するように、前記表示情報を生成することを特徴とする表示情報生成システム。
【請求項３】
第１の地点に関する第１の地点情報を含む地図データを記憶する地図データ記憶部と、
前記地図データ以外から取得され、第２の地点に関する第２の地点情報を記憶する拡張記憶部と、
前記第１の地点情報を含む前記地図データ、および前記第２の地点情報に基づいて、表示装置に表示すべき表示情報を生成する表示情報生成部とを備え、
前記第１の地点情報は、前記第１の地点に存在する第１の施設に関する情報を含み、
前記第２の地点情報は、前記第２の地点に存在する第２の施設に関する情報を含み、
前記表示情報生成部は、
前記第１の地点と前記第２の地点との距離が予め定める範囲内である場合、前記第１の地点情報および前記第２の地点情報の優先度に基づいて、前記第１の施設を表す第１の表示オブジェクト、および前記第２の施設を表す第２の表示オブジェクトのうち、優先度が高い方の地点情報で規定される地点に存在する施設を表す表示オブジェクトを優先的に表示するように、前記表示情報を生成し、
前記表示情報生成部は、前記第１の地点情報および前記第２の地点情報の取得先からそれぞれ取得される、道路に関する道路情報に基づいて、前記道路が変化していると判断した場合、前記第１の施設および前記第２の施設のうち、更新日時が新しい道路情報で表される道路の形状に合致する程度を表す合致度を判断し、前記合致度が高いほど、優先度が高いと判断することを特徴とする表示情報生成システム。
【請求項４】
第１の地点に関する第１の地点情報を含む地図データを記憶する地図データ記憶部と、
前記地図データ以外から取得され、第２の地点に関する第２の地点情報を記憶する拡張記憶部と、
前記第１の地点情報を含む前記地図データ、および前記第２の地点情報に基づいて、表示装置に表示すべき表示情報を生成する表示情報生成部とを備え、
前記第１の地点情報は、前記第１の地点に存在する第１の施設に関する情報を含み、
前記第２の地点情報は、前記第２の地点に存在する第２の施設に関する情報を含み、
前記表示情報生成部は、
前記第１の地点と前記第２の地点との距離が予め定める範囲内である場合、前記第１の地点情報および前記第２の地点情報の優先度に基づいて、前記第１の施設を表す第１の表示オブジェクト、および前記第２の施設を表す第２の表示オブジェクトのうち、優先度が高い方の地点情報で規定される地点に存在する施設を表す表示オブジェクトを優先的に表示するように、前記表示情報を生成し、
前記表示情報生成部は、前記優先度が高い方の地点情報で規定される地点に存在する施設を表す表示オブジェクトを前面に表示するように、前記表示情報を生成し、
前記表示情報生成部は、予め定める操作によって、前記第１の表示オブジェクトおよび前記第２の表示オブジェクトの両方を表示するとともに、他の予め定める操作によって、前記第１の表示オブジェクトおよび前記第２の表示オブジェクトのうち、いずれかを排除または表示順を変更可能なように、前記表示情報を生成することを特徴とする表示情報生成システム。
【請求項５】
前記表示情報生成部は、前記第１の地点情報および前記第２の地点情報の優先度に基づいて、前記第１の表示オブジェクト、および前記第２の表示オブジェクトのうち、優先度が高い方の地点情報で規定される地点に存在する施設を表す表示オブジェクトを優先的に表示するように、前記表示情報を生成することを特徴とする請求項２に記載の表示情報生成システム。
【請求項６】
前記表示情報生成部は、前記第１の地点情報および前記第２の地点情報のうち、いずれか一方の優先度を、他方の優先度よりも高く設定することを特徴とする請求項１、３から５のうちのいずれか１項に記載の表示情報生成システム。
【請求項７】
前記表示情報生成部は、前記第１の施設の属性と前記第２の施設の属性とが異なる場合、前記属性に基づいて、前記第１の地点情報および前記第２の地点情報の優先度を判断することを特徴とする請求項１、３から６のうちのいずれか１項に記載の表示情報生成システム。
【請求項８】
前記第１の地点情報は、前記第１の施設の属性を表す属性情報として、複数の属性情報を含み、
前記第２の地点情報は、前記第２の施設の属性を表す属性情報として、複数の属性情報を含み、
前記表示情報生成部は、前記表示装置が搭載される車両の種類、前記車両の運転者、前記車両の環境状態、および前記車両の目的地に基づいて、前記複数の属性情報の中で、優先する属性情報の順番を変更することを特徴とする請求項７に記載の表示情報生成システム。
【請求項９】
前記表示情報生成部は、前記第１の施設および前記第２の施設の属性に基づいて、前記第１の施設および前記第２の施設の変化しない確率を判断し、前記変化しない確率が高いほど、優先度が高いと判断することを請求項１、３から６のうちのいずれか１項に記載の表示情報生成システム。
【請求項１０】
前記表示情報生成部は、前記優先度が高い方の地点情報で規定される地点に存在する施設を表す表示オブジェクトを前面に表示するとともに、予め定める操作によって他の表示オブジェクトを表示するように、前記表示情報を生成することを特徴とする請求項１、３から９のうちのいずれか１項に記載の表示情報生成システム。
【請求項１１】
前記表示情報生成部は、前記優先度が高い方の地点情報で規定される地点に存在する施設を表す表示オブジェクトを前面に表示するとともに、他の表示オブジェクトの候補があることを示すように、前記表示情報を生成することを特徴とする請求項１、３から９のうちのいずれか１項に記載の表示情報生成システム。
【請求項１２】
前記表示情報生成部は、前記他の予め定める操作が行われたときに、前記第１の表示オブジェクトを排除せずに残すように、前記表示情報を生成することを特徴とする請求項４に記載の表示情報生成システム。
【請求項１３】
前記表示情報生成部は、前記他の予め定める操作が行われた後で、前記他の予め定める操作によって前面に表示するように指示された表示オブジェクトを規定する地点情報の取得先と同じ取得先から取得された地点情報で規定される地点に存在する施設を表す表示オブジェクトを、前面に表示するように、前記表示情報を生成することを特徴とする請求項４または１２に記載の表示情報生成システム。
【請求項１４】
前記表示情報生成部は、前記第１の地点情報と前記第２の地点情報とが同一の施設に関する情報であると判断すると、前記第１の表示オブジェクトおよび前記第２の表示オブジェクトのうち、いずれか一方を表示するように、前記表示情報を生成することを特徴とする請求項１から１３のうちのいずれか１項に記載の表示情報生成システム。
【請求項１５】
前記表示情報生成部は、前記第１の地点と前記第２の地点との距離が予め定める範囲内であり、かつ前記第１の施設と前記第２の施設とが異なると判断すると、前記第１の地点情報および前記第２の地点情報の取得先以外から取得される第３の地点情報に基づいて、前記第１の表示オブジェクトおよび前記第２の表示オブジェクトのうち、いずれか一方または両方を表示するように、前記表示情報を生成することを特徴とする請求項１から１４のうちのいずれか１項に記載の表示情報生成システム。
【請求項１６】
前記表示情報生成部は、
前記第１の地点と前記第２の地点との距離が予め定める範囲内である場合、前記第１の施設を表す第１の表示オブジェクト、および前記第２の施設を表す第２の表示オブジェクトをグループ化して表示するように、前記表示情報を生成することを特徴とする請求項２に記載の表示情報生成システム。
【請求項１７】
前記表示情報生成部は、前記第１の表示オブジェクトおよび前記第２の表示オブジェクトをグループ化して表示する場合、前記第１の表示オブジェクトおよび前記第２の表示オブジェクトを、個別に表示する場合よりも縮小して表示するように、前記表示情報を生成することを特徴とする請求項１６に記載の表示情報生成システム。
【請求項１８】
前記表示情報生成部は、前記第１の表示オブジェクトおよび前記第２の表示オブジェクトをグループ化して表示する場合、グループ化された領域の背景を半透過状態で表示するように、前記表示情報を生成することを特徴とする請求項１６または１７に記載の表示情報生成システム。
【請求項１９】
前記表示情報生成部は、前記第１の表示オブジェクトおよび前記第２の表示オブジェクトをグループ化して表示する場合、前記第１の施設および前記第２の施設の名称とともに表示することを特徴とする請求項１６から１８のうちのいずれか１項に記載の表示情報生成システム。
【請求項２０】
前記表示情報生成部は、前記第１の表示オブジェクトおよび前記第２の表示オブジェクトをグループ化して表示する場合、予め定める拡大操作によって、グループ化された領域を拡大して表示するように、前記表示情報を生成することを特徴とする請求項１６から１９のうちのいずれか１項に記載の表示情報生成システム。
【請求項２１】
前記表示情報生成部は、前記拡大操作によって前記グループ化された領域を拡大して表示するときに、前記グループ化された領域の透過率が拡大前よりも低くなるように、前記表示情報を生成することを特徴とする請求項２０に記載の表示情報生成システム。
【請求項２２】
前記表示情報生成部は、前記第１の表示オブジェクトおよび前記第２の表示オブジェクトをグループ化して表示する場合、予め定める排除変更操作によって、前記第１の表示オブジェクトおよび前記第２の表示オブジェクトのうち、いずれかを排除または表示箇所を変更可能なように、前記表示情報を生成することを特徴とする請求項１６から２１のうちのいずれか１項に記載の表示情報生成システム。
【請求項２３】
前記表示情報生成部は、前記排除変更操作が行われたときに、前記第１の表示オブジェクトを排除せずに残すように、前記表示情報を生成することを特徴とする請求項２２に記載の表示情報生成システム。
【請求項２４】
前記予め定める範囲は、少なくとも、前記第１の地点と前記第２の地点との距離、ならびに前記第１の施設および前記第２の施設が占める領域の大きさに基づいて、設定されることを特徴とする請求項１から２３のうちのいずれか１項に記載の表示情報生成システム。
【請求項２５】
前記予め定める範囲は、前記第１の地点と前記第２の地点との距離、前記第１の施設および前記第２の施設が占める領域の大きさ、ならびに前記第１の施設および前記第２の施設を含む施設の密集度に基づいて、設定されることを特徴とする請求項２４に記載の表示情報生成システム。
【請求項２６】
第１の地点に関する第１の地点情報を含む地図データを取得し、
前記地図データ以外から、第２の地点に関する第２の地点情報を取得し、
前記第１の地点情報を含む前記地図データ、および前記第２の地点情報に基づいて、表示装置に表示すべき表示情報を生成するときに、
前記第１の地点情報は、前記第１の地点に存在する第１の施設に関する情報を含み、
前記第２の地点情報は、前記第２の地点に存在する第２の施設に関する情報を含み、
前記第１の地点と前記第２の地点との距離が予め定める範囲内である場合、前記第１の地点情報および前記第２の地点情報の優先度に基づいて、前記第１の施設を表す第１の表示オブジェクト、および前記第２の施設を表す第２の表示オブジェクトのうち、優先度が高い方の地点情報で規定される地点に存在する施設を表す表示オブジェクトを優先的に表示するように、前記表示情報を生成し、
前記第１の地点情報および前記第２の地点情報の取得先の信頼度に基づいて、前記第１の地点情報および前記第２の地点情報の優先度を判断することを特徴とする表示情報生成方法。
【請求項２７】
第１の地点に関する第１の地点情報を含む地図データを取得し、
前記地図データ以外から、第２の地点に関する第２の地点情報を取得し、
前記第１の地点情報を含む前記地図データ、および前記第２の地点情報に基づいて、表示装置に表示すべき表示情報を生成するときに、
前記第１の地点情報は、前記第１の地点に存在する第１の施設に関する情報を含み、
前記第２の地点情報は、前記第２の地点に存在する第２の施設に関する情報を含み、
前記第１の地点と前記第２の地点との距離が予め定める範囲内である場合、前記第１の地点情報および前記第２の地点情報の取得先に基づいて、前記第１の施設を表す第１の表示オブジェクト、および前記第２の施設を表す第２の表示オブジェクトのうち、少なくとも一方の表示オブジェクトを前記取得先毎に定める表示形態で表示するように、前記表示情報を生成することを特徴とする表示情報生成方法。
【請求項２８】
第１の地点に関する第１の地点情報を含む地図データを取得し、
前記地図データ以外から、第２の地点に関する第２の地点情報を取得し、
前記第１の地点情報を含む前記地図データ、および前記第２の地点情報に基づいて、表示装置に表示すべき表示情報を生成するときに、
前記第１の地点情報は、前記第１の地点に存在する第１の施設に関する情報を含み、
前記第２の地点情報は、前記第２の地点に存在する第２の施設に関する情報を含み、
前記第１の地点と前記第２の地点との距離が予め定める範囲内である場合、前記第１の地点情報および前記第２の地点情報の優先度に基づいて、前記第１の施設を表す第１の表示オブジェクト、および前記第２の施設を表す第２の表示オブジェクトのうち、優先度が高い方の地点情報で規定される地点に存在する施設を表す表示オブジェクトを優先的に表示するように、前記表示情報を生成し、
前記第１の地点情報および前記第２の地点情報の取得先からそれぞれ取得される、道路に関する道路情報に基づいて、前記道路が変化していると判断した場合、前記第１の施設および前記第２の施設のうち、更新日時が新しい道路情報で表される道路の形状に合致する程度を表す合致度を判断し、前記合致度が高いほど、優先度が高いと判断することを特徴とする表示情報生成方法。
【請求項２９】
第１の地点に関する第１の地点情報を含む地図データを取得し、
前記地図データ以外から、第２の地点に関する第２の地点情報を取得し、
前記第１の地点情報を含む前記地図データ、および前記第２の地点情報に基づいて、表示装置に表示すべき表示情報を生成するときに、
前記第１の地点情報は、前記第１の地点に存在する第１の施設に関する情報を含み、
前記第２の地点情報は、前記第２の地点に存在する第２の施設に関する情報を含み、
前記第１の地点と前記第２の地点との距離が予め定める範囲内である場合、前記第１の地点情報および前記第２の地点情報の優先度に基づいて、前記第１の施設を表す第１の表示オブジェクト、および前記第２の施設を表す第２の表示オブジェクトのうち、優先度が高い方の地点情報で規定される地点に存在する施設を表す表示オブジェクトを優先的に表示するように、前記表示情報を生成し、
前記優先度が高い方の地点情報で規定される地点に存在する施設を表す表示オブジェクトを前面に表示するように、前記表示情報を生成し、
予め定める操作によって、前記第１の表示オブジェクトおよび前記第２の表示オブジェクトの両方を表示するとともに、他の予め定める操作によって、前記第１の表示オブジェクトおよび前記第２の表示オブジェクトのうち、いずれかを排除または表示順を変更可能なように、前記表示情報を生成することを特徴とする表示情報生成方法。
【請求項３０】
前記第１の地点と前記第２の地点との距離が予め定める範囲内である場合、前記第１の施設を表す第１の表示オブジェクト、および前記第２の施設を表す第２の表示オブジェクトをグループ化して表示するように、前記表示情報を生成することを特徴とする請求項２７に記載の表示情報生成方法。
【発明の詳細な説明】
【技術分野】
【０００１】
本発明は、表示情報生成システムおよび表示情報生成方法に関する。
【背景技術】
【０００２】
カーナビゲーション装置などの地図表示装置では、地図データベースに記憶された地図データに基づいて地図を表示するように、表示情報が生成される。生成された表示情報は、表示装置に与えられる。表示装置は、表示情報に基づいて、地図を表示する。地図データは、ＰＯＩ（Point of Interest）と呼ばれる地点情報を含む。地図上には、ＰＯＩで示される地点に存在する施設を表す表示オブジェクトが重畳して表示される。
【０００３】
地図表示装置は、インターネット上の情報サイトなどの外部から地点情報（以下「外部地点情報」という場合がある）を取得して、外部地点情報で示される地点に存在する施設を表す表示オブジェクトを地図上に表示するように、表示情報を生成することが求められる。
【０００４】
外部地点情報が表す地点を地図上に表示する技術が、たとえば、特許文献１に開示される。特許文献１に開示される技術では、外部から取得した外部地点情報に基づいて、外部地点情報が表す地点（以下「外部情報地点」という場合がある）に対応する地図上の位置に、外部情報地点を表すアイコンなどの表示オブジェクトを重畳して表示する。
【先行技術文献】
【特許文献】
【０００５】
【特許文献１】特開２００４−０７０５９８号公報
【発明の概要】
【発明が解決しようとする課題】
【０００６】
特許文献１に開示される技術では、外部地点情報が表す外部情報地点と、地図データベースから取得された地図データに含まれる地点情報が表す地点（以下「地図データベース地点」という場合がある）とが、略同一の地点を表す場合には、外部情報地点と地図データベース地点とが比較的近い位置に表示されることになる。したがって、地図上での表示が繁雑になってしまい、外部情報地点と地図データベース地点とが視認しにくくなるという問題がある。
【０００７】
本発明の目的は、複数の地点情報に基づいて地図上に地点を表示する場合に、地図上における表示が繁雑になることを防ぐことができる表示情報生成システムおよび表示情報生成システムを提供することである。
【課題を解決するための手段】
【０００８】
本発明の表示情報生成システムは、第１の地点に関する第１の地点情報を含む地図データを記憶する地図データ記憶部と、地図データ以外から取得され、第２の地点に関する第２の地点情報を記憶する拡張記憶部と、第１の地点情報を含む地図データ、および第２の地点情報に基づいて、表示装置に表示すべき表示情報を生成する表示情報生成部とを備え、第１の地点情報は、第１の地点に存在する第１の施設に関する情報を含み、第２の地点情報は、第２の地点に存在する第２の施設に関する情報を含み、表示情報生成部は、第１の地点と第２の地点との距離が予め定める範囲内である場合、第１の地点情報および第２の地点情報の優先度に基づいて、第１の施設を表す第１の表示オブジェクト、および第２の施設を表す第２の表示オブジェクトのうち、優先度が高い方の地点情報で規定される地点に存在する施設を表す表示オブジェクトを優先的に表示するように、表示情報を生成し、表示情報生成部は、第１の地点情報および第２の地点情報の取得先の信頼度に基づいて、第１の地点情報および第２の地点情報の優先度を判断することを特徴とする。
【０００９】
また本発明の表示情報生成システムは、第１の地点に関する第１の地点情報を含む地図データを記憶する地図データ記憶部と、地図データ以外から取得され、第２の地点に関する第２の地点情報を記憶する拡張記憶部と、第１の地点情報を含む地図データ、および第２の地点情報に基づいて、表示装置に表示すべき表示情報を生成する表示情報生成部とを備え、第１の地点情報は、第１の地点に存在する第１の施設に関する情報を含み、第２の地点情報は、第２の地点に存在する第２の施設に関する情報を含み、表示情報生成部は、第１の地点と第２の地点との距離が予め定める範囲内である場合、第１の地点情報および第２の地点情報の取得先に基づいて、第１の施設を表す第１の表示オブジェクト、および第２の施設を表す第２の表示オブジェクトのうち、少なくとも一方の表示オブジェクトを取得先毎に定める表示形態で表示するように、表示情報を生成することを特徴とする。
【００１１】
本発明の表示情報生成方法は、第１の地点に関する第１の地点情報を含む地図データを取得し、地図データ以外から、第２の地点に関する第２の地点情報を取得し、第１の地点情報を含む地図データ、および第２の地点情報に基づいて、表示装置に表示すべき表示情報を生成するときに、第１の地点情報は、第１の地点に存在する第１の施設に関する情報を含み、第２の地点情報は、第２の地点に存在する第２の施設に関する情報を含み、第１の地点と第２の地点との距離が予め定める範囲内である場合、第１の地点情報および第２の地点情報の優先度に基づいて、第１の施設を表す第１の表示オブジェクト、および第２の施設を表す第２の表示オブジェクトのうち、優先度が高い方の地点情報で規定される地点に存在する施設を表す表示オブジェクトを優先的に表示するように、表示情報を生成し、第１の地点情報および第２の地点情報の取得先の信頼度に基づいて、第１の地点情報および第２の地点情報の優先度を判断することを特徴とする。
【００１２】
また本発明の表示情報生成方法は、第１の地点に関する第１の地点情報を含む地図データを取得し、地図データ以外から、第２の地点に関する第２の地点情報を取得し、第１の地点情報を含む地図データ、および第２の地点情報に基づいて、表示装置に表示すべき表示情報を生成するときに、第１の地点情報は、第１の地点に存在する第１の施設に関する情報を含み、第２の地点情報は、第２の地点に存在する第２の施設に関する情報を含み、第１の地点と第２の地点との距離が予め定める範囲内である場合、第１の地点情報および第２の地点情報の取得先に基づいて、第１の施設を表す第１の表示オブジェクト、および第２の施設を表す第２の表示オブジェクトのうち、少なくとも一方の表示オブジェクトを取得先毎に定める表示形態で表示するように、表示情報を生成することを特徴とする。
【発明の効果】
【００１４】
本発明の表示情報生成システムによれば、地図データ記憶部に記憶される第１の地点情報を含む地図データと、地図データ以外から取得され、拡張記憶部に記憶される第２の地点情報とに基づいて、表示装置に表示すべき表示情報が、表示情報生成部によって生成される。第１の地点と第２の地点との距離が予め定める範囲内である場合、第１の地点情報および第２の地点情報の優先度に基づいて、第１の地点に存在する第１の施設を表す第１の表示オブジェクトと、第２の地点に存在する第２の施設を表す第２の表示オブジェクトとのうち、優先度が高い方の地点情報で規定される地点に存在する施設を表す表示オブジェクトが優先的に表示されるように、表示情報生成部によって表示情報が生成される。これによって、第１の地点情報および第２の地点情報を含む複数の地点情報に基づいて地図上に地点を表示する場合に、地図上における表示が繁雑になることを防ぐことができる。
【００１５】
また本発明の表示情報生成システムによれば、地図データ記憶部に記憶される第１の地点情報を含む地図データと、地図データ以外から取得され、拡張記憶部に記憶される第２の地点情報とに基づいて、表示装置に表示すべき表示情報が、表示情報生成部によって生成される。第１の地点と第２の地点との距離が予め定める範囲内である場合、第１の地点情報および第２の地点情報の取得先に基づいて、第１の地点に存在する第１の施設を表す第１の表示オブジェクトと、第２の地点に存在する第２の施設を表す第２の表示オブジェクトとのうち、少なくとも一方の表示オブジェクトが、取得先毎に定める表示形態で表示されるように、表示情報生成部によって表示情報が生成される。これによって、第１の地点情報および第２の地点情報を含む複数の地点情報に基づいて地図上に地点を表示する場合に、地図上における表示が繁雑になることを防ぐことができる。
【００１６】
また本発明の表示情報生成システムによれば、地図データ記憶部に記憶される第１の地点情報を含む地図データと、地図データ以外から取得され、拡張記憶部に記憶される第２の地点情報とに基づいて、表示装置に表示すべき表示情報が、表示情報生成部によって生成される。第１の地点と第２の地点との距離が予め定める範囲内である場合、第１の地点に存在する第１の施設を表す第１の表示オブジェクトと、第２の地点に存在する第２の施設を表す第２の表示オブジェクトとがグループ化して表示されるように、表示情報生成部によって表示情報が生成される。これによって、第１の地点情報および第２の地点情報を含む複数の地点情報に基づいて地図上に地点を表示する場合に、地図上における表示が繁雑になることを防ぐことができる。
【００１７】
本発明の表示情報生成方法によれば、第１の地点情報を含む地図データと、地図データ以外から取得される第２の地点情報とに基づいて、表示装置に表示すべき表示情報が生成される。第１の地点と第２の地点との距離が予め定める範囲内である場合、第１の地点情報および第２の地点情報の優先度に基づいて、第１の地点に存在する第１の施設を表す第１の表示オブジェクトと、第２の地点に存在する第２の施設を表す第２の表示オブジェクトとのうち、優先度が高い方の地点情報で規定される地点に存在する施設を表す表示オブジェクトが優先的に表示されるように、表示情報が生成される。これによって、第１の地点情報および第２の地点情報を含む複数の地点情報に基づいて地図上に地点を表示する場合に、地図上における表示が繁雑になることを防ぐことができる。
【００１８】
また本発明の表示情報生成方法によれば、第１の地点情報を含む地図データと、地図データ以外から取得される第２の地点情報とに基づいて、表示装置に表示すべき表示情報が生成される。第１の地点と第２の地点との距離が予め定める範囲内である場合、第１の地点情報および第２の地点情報の取得先に基づいて、第１の地点に存在する第１の施設を表す第１の表示オブジェクトと、第２の地点に存在する第２の施設を表す第２の表示オブジェクトとのうち、少なくとも一方の表示オブジェクトが、取得先毎に定める表示形態で表示されるように、表示情報が生成される。これによって、第１の地点情報および第２の地点情報を含む複数の地点情報に基づいて地図上に地点を表示する場合に、地図上における表示が繁雑になることを防ぐことができる。
【００１９】
また本発明の表示情報生成方法によれば、第１の地点情報を含む地図データと、地図データ以外から取得される第２の地点情報とに基づいて、表示装置に表示すべき表示情報が生成される。第１の地点と第２の地点との距離が予め定める範囲内である場合、第１の地点に存在する第１の施設を表す第１の表示オブジェクトと、第２の地点に存在する第２の施設を表す第２の表示オブジェクトとがグループ化して表示されるように、表示情報が生成される。これによって、第１の地点情報および第２の地点情報を含む複数の地点情報に基づいて地図上に地点を表示する場合に、地図上における表示が繁雑になることを防ぐことができる。
【図面の簡単な説明】
【００２０】
【図１】本発明の第１の実施の形態における表示情報生成システム１の構成を示すブロック図である。
【図２】本発明の第２の実施の形態における表示情報生成システム３の構成を示すブロック図である。
【図３】本発明の第２の実施の形態において、外部から地点情報を取得する前の地図４０の一例を示す図である。
【図４】本発明の第２の実施の形態において、外部から地点情報を取得した後の地図５０の一例を示す図である。
【図５】従来技術において、外部から地点情報を取得した後の地図５５の一例を示す図である。
【図６】表示オブジェクトの表示形態の具体例を示す図である。
【図７】１つの表示オブジェクトを代表して表示する場合の地図６０の一例を示す図である。
【図８】１つの表示オブジェクトを代表して表示する場合の地図６１の他の例を示す図である。
【図９】設定領域７３の具体例を示す図である。
【図１０】本発明の第２の実施の形態における地図表示処理の処理手順を示すフローチャートである。
【図１１】本発明の第３の実施の形態における表示オブジェクトの表示形態の一例を示す図である。
【図１２】本発明の第３の実施の形態における表示オブジェクトの表示形態の他の例を示す図である。
【図１３】本発明の第３の実施の形態における表示オブジェクトの表示形態の他の例を示す図である。
【図１４】本発明の第３の実施の形態における設定領域７３の一例を示す図である。
【図１５】本発明の第３の実施の形態における地図表示処理の処理手順を示すフローチャートである。
【図１６】本発明の第３の実施の形態における地図表示処理の他の処理手順を示すフローチャートである。
【図１７】外部から取得される地点情報が２つ以上ある場合の表示形態の一例を示す図である。
【図１８】選択画面でフリック操作を行った場合の表示形態の一例を示す図である。
【図１９】フリック操作を行った場合の表示状態の一例を示す図である。
【図２０】本発明の第４の実施の形態における表示オブジェクトを含む地図１００の一例を示す図である。
【図２１】本発明の第４の実施の形態における表示オブジェクトを含む地図１０５の他の例を示す図である。
【図２２】本発明の第４の実施の形態において、タッチ操作を行った場合の表示形態の一例を示す図である。
【図２３】本発明の第４の実施の形態における地図表示処理の処理手順を示すフローチャートである。
【図２４】本発明の第５の実施の形態である表示情報生成システム４の構成を示すブロック図である。
【図２５】本発明の第６の実施の形態において、通信端末装置５およびナビゲーション装置６を用いて表示情報生成システムを構成する場合のブロック図である。
【発明を実施するための形態】
【００２１】
＜第１の実施の形態＞
図１は、本発明の第１の実施の形態における表示情報生成システム１の構成を示すブロック図である。本実施の形態の表示情報生成システム１は、地図データ記憶部１１、拡張記憶部１２および表示情報生成部１３を備えて構成される。
【００２２】
地図データ記憶部１１は、地図データを記憶する。地図データは、第１の地点に関する第１の地点情報を含む。第１の地点情報は、第１の地点に存在する施設に関する情報（以下「施設情報」という場合がある）を含む。以下の説明では、第１の地点に存在する施設を「第１の施設」といい、第１の施設に関する施設情報を「第１の施設情報」という場合がある。
【００２３】
拡張記憶部１２は、第２の地点に関する第２の地点情報を含む。第２の地点情報は、地図データ以外、たとえば表示情報生成システム１の外部のサーバ装置から取得される。第２の地点情報は、第２の地点に存在する施設に関する施設情報を含む。以下の説明では、第２の地点に存在する施設を「第２の施設」といい、第２の施設に関する施設情報を「第２の施設情報」という場合がある。
【００２４】
施設情報は、たとえば、施設の属性を表す属性情報である。属性情報は、施設の属性、たとえば、施設のジャンル、大きさ、高さ、および施設情報の更新日時を含む。施設情報は、これに限定されない。
【００２５】
表示情報生成部１３は、表示装置２に接続される。表示情報生成部１３は、地図データ記憶部１１から取得される、第１の地点情報を含む地図データと、拡張記憶部１２から取得される第２の地点情報とに基づいて、表示装置２に表示すべき表示情報を生成する。表示情報生成部１３は、生成した表示情報を表示装置２に与える。
【００２６】
本実施の形態では、表示情報生成部１３は、第１の地点情報で規定される第１の地点と、第２の地点情報で規定される第２の地点との距離が、予め定める範囲内である場合、以下の処理を行う。
【００２７】
具体的には、表示情報生成部１３は、第１の地点情報および第２の地点情報の優先度に基づいて、第１の表示オブジェクトおよび第２の表示オブジェクトのうち、優先度が高い方の地点情報で規定される地点に存在する施設を表す表示オブジェクトを優先的に表示するように、表示情報を生成する。第１の表示オブジェクトは、第１の地点に存在する第１の施設を表す。第２の表示オブジェクトは、第２の地点に存在する第２の施設を表す。
【００２８】
このようにすることによって、第１の地点情報および第２の地点情報を含む複数の地点情報に基づいて地図上に地点を表示する場合に、地図上における表示が繁雑になることを防ぐことができる。
【００２９】
本実施の形態とは異なるが、表示情報生成部１３は、第１の地点と第２の地点との距離が予め定める範囲内である場合、第１の地点情報および第２の地点情報の取得先に基づいて、第１の表示オブジェクトおよび第２の表示オブジェクトのうち、少なくとも一方の表示オブジェクトを、取得先毎に定める表示形態で表示するように、表示情報を生成してもよい。これによって、本実施の形態と同様に、第１の地点情報および第２の地点情報を含む複数の地点情報に基づいて地図上に地点を表示する場合に、地図上における表示が繁雑になることを防ぐことができる。
【００３０】
また表示情報生成部１３は、第１の地点と第２の地点との距離が予め定める範囲内である場合、第１の表示オブジェクトと第２の表示オブジェクトとをグループ化して表示するように、表示情報を生成してもよい。これによって、本実施の形態と同様に、第１の地点情報および第２の地点情報を含む複数の地点情報に基づいて地図上に地点を表示する場合に、地図上における表示が繁雑になることを防ぐことができる。
【００３１】
本発明の実施の一形態である表示情報生成方法は、たとえば、以上に述べた表示情報生成システム１によって実現される。表示情報生成方法によれば、第１の地点情報および第２の地点情報を含む複数の地点情報に基づいて地図上に地点を表示する場合に、地図上における表示が繁雑になることを防ぐことができる。
【００３２】
＜第２の実施の形態＞
図２は、本発明の第２の実施の形態における表示情報生成システム３の構成を示すブロック図である。表示情報生成システム３は、地図データ記憶部１１、拡張記憶部１２、制御部３１、操作情報取得部３２、通信部３３、表示オブジェクト生成部３４および表示出力部３５を備えて構成される。操作情報取得部３２には、操作入力装置２４が接続されている。地図データ記憶部１１には、地図ＤＢ２５が接続されている。表示出力部３５には、表示装置２が接続されている。
【００３３】
本実施の形態の表示情報生成システム３は、たとえば、車両に搭載可能なナビゲーション装置によって実現される。表示情報生成システム３が、車両に搭載可能なナビゲーション装置によって実現される場合、操作入力装置２４および表示装置２は、車両に搭載される。また、表示情報生成システム３、操作入力装置２４、および表示装置２は、携帯電話機、スマートフォンまたはタブレット型端末装置などの携帯通信装置に搭載されてもよい。
【００３４】
本実施の形態における地図データ記憶部１１および拡張記憶部１２は、図１に示す第１の実施の形態における地図データ記憶部１１および拡張記憶部１２と同一の構成であるので、同一の参照符号を付して、共通する説明を省略する。
【００３５】
地図ＤＢ２５は、たとえばハードディスクドライブ（Hard Disk Drive；略称：ＨＤＤ）装置、または半導体メモリなどの記憶装置によって実現される。地図ＤＢ２５は、地図データを記憶する。
【００３６】
地図データは、予め定められた縮尺に対応する複数の地図が階層化されて構成されている。地図データは、地図を画像として表示するための地図表示情報を含む。地図表示情報は、道路に関する道路情報と、施設の種別、名称および位置などを表す施設情報と、地名、施設名、交差点名および道路名などを表す各種文字情報と、施設および道路番号などを表す各種アイコン情報とを含む。
【００３７】
地図データ記憶部１１は、地図データが記憶されている地図ＤＢ２５から地図データを読み出し、読み出した地図データを記憶する。地図データ記憶部１１は、半導体メモリ、たとえばＳＤ（Secure Digital）メモリカードなどの記憶装置によって実現される。地図ＤＢ２５は、表示情報生成システム３に、有線または無線で通信可能に接続される。
【００３８】
地図ＤＢ２５は、本実施の形態では車両の内部に設けられる。地図ＤＢ２５は、これに限定されず、車両の外部に設けられてもよい。たとえば、地図ＤＢ２５は、車両の外部のサーバ装置に設けられて、地図データ記憶部１１に通信可能に接続されてもよい。地図ＤＢ２５が車両の外部のサーバ装置に設けられる場合、表示情報生成システム３は、通信によって、車両の外部のサーバ装置に設けられる地図ＤＢ２５から地図データを取得して地図データ記憶部１１に記憶する。
【００３９】
本実施の形態では、表示情報生成システム３が、地図ＤＢ２５から地図データを読み出すように構成されているが、このような構成に限らない。表示情報生成システム３は、たとえば、通信によって、地図ＤＢ２５以外から地図データの全部または一部を取得するように構成されてもよい。
【００４０】
具体的には、表示情報生成システム３は、地図データを、車両の外部の第１および第２サーバ装置２１，２２から、インターネットなどの通信網を介してダウンロードすることによって取得するように構成されてもよい。
【００４１】
たとえば、表示情報生成システム３は、通信部３３によって、第１サーバ装置２１から直接、地図データを取得してもよいし、第２サーバ装置２２から通信端末装置２３を介して地図データを取得してもよい。取得された地図データは、制御部３１を介して、地図データ記憶部１１に記憶される。第３者データの取得先となるサーバ装置は、本実施の形態のように複数であってもよいし、１つであってもよい。
【００４２】
また、地図ＤＢ２５は、本実施の形態では、表示情報生成システム３の外部に設けられるが、表示情報生成システム３の内部に設けられてもよい。地図ＤＢ２５が通信端末装置５の内部に設けられる場合、地図ＤＢ２５は、地図データ記憶部１１と同様の機能を実現するので、地図データ記憶部１１は不要となる。
【００４３】
操作入力装置２４は、図示は省略するが、使用者によって操作される操作入力部を備える。操作入力部は、たとえば、操作スイッチおよび操作ボタンを含む。操作入力装置２４は、使用者が、数字情報、文字情報および表示情報生成システム３への指示情報などの情報を入力するときに用いられる。使用者によって操作入力部が操作されると、操作入力装置２４は、使用者の入力操作に応じた操作情報を生成して、操作情報取得部３２に与える。
【００４４】
操作入力装置２４の操作入力部は、操作スイッチおよび操作ボタンの代わりに、タッチパネルまたは音声による操作入力が可能な音声入力装置によって構成されてもよい。操作入力部がタッチパネルで構成される場合、タッチパネルは、たとえば、表示装置２の表面に設置され、使用者のタッチ操作とタッチ位置とを検出する。タッチパネルは、検出したタッチ操作とタッチ位置とに応じた操作情報を生成して、制御部３１に与える。操作入力部が音声入力装置で構成される場合、音声入力装置は、入力された音声を認識する。音声入力装置は、認識した音声に応じた操作情報を生成して、制御部３１に与える。
【００４５】
操作情報取得部３２は、操作入力装置２４から与えられる操作情報を取得する。操作情報は、操作の対象および内容を示す情報である。操作情報は、たとえば、操作の種別、操作の回数、操作の時間の長さ、操作の対象となる画像およびその画像の表示領域、表示情報量、表示位置、ならびに表示処理負荷、表示装置２の画面における操作の位置または領域などを示す情報の１つ以上を含む。
【００４６】
制御部３１は、たとえばＣＰＵと、書き込み可能なＲＡＭなどのメモリとによって構成される。メモリは、制御プログラムを記憶する。ＣＰＵが、メモリに記憶されている制御プログラムを実行することによって、表示情報生成システム３を構成する操作情報取得部３２、通信部３３、表示オブジェクト生成部３４および表示出力部３５の各機能が実現される。制御部３１は、メモリに記憶された制御プログラムに従って、通信部３３、拡張記憶部１２、表示オブジェクト生成部３４および表示出力部３５を統括的に制御する。
【００４７】
具体的には、制御部３１は、表示情報生成システム３の状態と、操作入力装置２４によって入力される操作情報とに基づいて、表示情報生成システム３の全体の制御を行う。より詳細には、制御部３１は、地点情報であるＰＯＩの優先度の判断、ＰＯＩが同一か否かの判断、および表示オブジェクト生成部３４の制御などを行う。
【００４８】
通信部３３は、たとえば無線ＬＡＮによって、第１サーバ装置２１と通信可能に接続される。通信部３３は、表示情報生成システム３の通信可能な範囲に存在する通信端末装置２３と通信可能に接続される。具体的には、通信部３３は、たとえば、近距離無線通信規格であるブルートゥース（Bluetooth（登録商標））によって、通信端末装置２３と通信可能に接続される。通信部３３は、通信端末装置２３を介して、第２サーバ装置２２と通信可能に接続される。
【００４９】
通信部３３は、第１サーバ装置２１または第２サーバ装置２２から、地図ＤＢ２３に記憶される地図データとは別の地図データ、たとえば地点情報を取得する。第１サーバ装置２１または第２サーバ装置２２から取得される地図データは、たとえば、表示情報生成システム３のメーカとは異なる第３者から提供されるデータであり、「第３者外部データ」といわれる場合がある。通信部３３によって、表示情報生成システム３の外部から取得された第３者外部データなどの地図データは、拡張記憶部１２に記憶される。
【００５０】
表示オブジェクト生成部３４および表示出力部３５は、図１に示す第１の実施の形態における表示情報生成部１３に相当する。
【００５１】
表示オブジェクト生成部３４は、制御部３１から与えられる地図表示指示に応じて、地図データ記憶部１１から与えられる第１の地点情報を含む地図データと、拡張記憶部１２から与えられる第２の地点情報、たとえば第３者外部データとを用いて、表示情報を生成する。具体的には、表示オブジェクト生成部３４は、第１の施設を表す第１の表示オブジェクトと、第２の施設を表す第２の表示オブジェクトとを含む地図を表す表示情報を生成する。表示オブジェクト生成部３４は、生成した表示情報を表示出力部３５に与える。
【００５２】
表示出力部３５は、表示オブジェクト生成部３４から与えられる表示情報を、表示装置２で使用可能な映像信号に変換して、表示装置２に出力する。表示装置２は、表示出力部３５から与えられる映像信号に基づいて、前述の第１の表示オブジェクトおよび第２の表示オブジェクトを含む地図を表示画面上に表示する。
【００５３】
図３は、本発明の第２の実施の形態において、外部から地点情報を取得する前の地図４０の一例を示す図である。外部から地点情報を取得する前には、表示情報生成システム３は、表示オブジェクト生成部３４によって、地図データ記憶部１１に記憶される地図データに基づいて地図を表示するように、表示情報を生成し、表示出力部３５によって映像信号に変換して、表示装置２に与える。
【００５４】
表示装置２は、与えられた表示情報に基づいて、図３に示すように、各施設を表す表示オブジェクト４１〜４４を含む地図４０を表示する。図３に示す例では、４つの表示オブジェクト４１〜４４が表示される。このうちの１つを、以下の説明では、第１の地点情報で規定される地点に表示される施設を表す第１の表示オブジェクトとして、参照符号「４１」で示す。
【００５５】
図４は、本発明の第２の実施の形態において、外部から地点情報を取得した後の地図５０の一例を示す図である。表示情報生成システム３は、外部から第２の地点情報を取得すると、表示オブジェクト生成部３４によって、地図データ記憶部１１に記憶される第１の地点情報を含む地図データと、取得した第２の地点情報とに基づいて地図を表示するように、表示情報を生成し、表示出力部３５によって映像信号に変換して、表示装置２に与える。
【００５６】
表示装置２は、与えられた表示情報に基づいて、図４に示すように、図３に示す４つの表示オブジェクト４１〜４４に加えて、第２の地点情報で規定される地点に存在する施設を表す第２の表示オブジェクト５１を地図５０に重畳して表示する。
【００５７】
本実施の形態では、表示情報生成システム３は、制御部３１によって、第１の地点と第２の地点との距離が予め定める範囲内であるか否か、たとえば図４に示すように、第１の地点と第２の地点とが、予め定める半径の円で表される領域（以下「設定領域」という場合がある）５２内に存在するか否かを判断する。
【００５８】
第１の地点と第２の地点とが設定領域５２内に存在する場合、表示情報生成システム３は、地図５０上の設定領域５２内に、第１の地点に存在する第１の施設を表す第１の表示オブジェクト４１と、第２の地点に存在する第２の施設を表す第２の表示オブジェクト５１とを表示するように、表示オブジェクト生成部３４によって表示情報を生成する。
【００５９】
本実施の形態では、表示オブジェクト生成部３４は、第１の地点情報および第２の地点情報の優先度に基づいて、第１の表示オブジェクト４１と、第２の表示オブジェクト５１とのうち、優先度が高い方の地点情報で規定される地点に存在する施設を表す表示オブジェクトを優先的に表示するように、表示情報を生成する。
【００６０】
たとえば、第１の地点情報の方が、第２の地点情報よりも優先度が高い場合、表示オブジェクト生成部３４は、図４に示すように、第１の表示オブジェクト４１と第２の表示オブジェクト５１との一部が重畳し、かつ第１の表示オブジェクト４１が前面に表示され、第２の表示オブジェクト５１が背面に表示されるように、表示情報を生成する。図４では、理解を容易にするために、第２の表示オブジェクト５１を表す枠を点線で示しているが、第２の表示オブジェクト５１を表す枠は、実際には実線で表示される。
【００６１】
図５は、従来技術において、外部から地点情報を取得した後の地図５５の一例を示す図である。従来技術では、図４に示す本実施の形態と異なり、第１の地点と第２の地点とが設定領域５７内に存在する場合、第１の表示オブジェクト４１と第２の表示オブジェクト５６とを並べて、地図５５が表示される。
【００６２】
この場合、図５に示すように、第１の表示オブジェクト４１と第２の表示オブジェクト５６とが比較的近い位置に表示されることになる。したがって、地図５５上での表示が繁雑になってしまい、第１の表示オブジェクト４１と第２の表示オブジェクト５６とが視認しにくくなるという問題がある。
【００６３】
これに対し、本実施の形態では、前述の図４に示すように、第１の表示オブジェクト４１および第２の表示オブジェクト５１のうち、優先度が高い方の地点情報で規定される地点に存在する施設を表す表示オブジェクト、図４では第１の表示オブジェクト４１が優先的に、たとえば前面に表示される。したがって、第１の地点情報および第２の地点情報を含む複数の地点情報に基づいて地図５０上に地点を表示する場合に、地図５０上における表示が繁雑になることを防ぐことができる。
【００６４】
図６は、表示オブジェクトの表示形態の具体例を示す図である。外部から地点情報を取得する前には、図６（ａ）に示すように、表示オブジェクトは、たとえば四角の枠で表示される。外部から地点情報を取得した後には、表示オブジェクトは、たとえば、前述の図４に示すように一部が重畳するように表示されてもよいし、図６（ｂ）〜図６（ｄ）に示すように表示されてもよい。
【００６５】
図６（ｂ）に示す例では、優先して表示される表示オブジェクトが前面に表示され、その下に他の表示オブジェクトが、厚みを小さくして表示される。図６（ｃ）に示す例では、優先して表示される表示オブジェクトが前面に表示されるとともに、複数の候補が存在することが、表示オブジェクトの枠に、枠を追加することで、付加的に表示される。
【００６６】
図６（ｄ）に示す例では、優先して表示される表示オブジェクトが表示されるとともに、その表示オブジェクトを表す枠の一角に「プラス（＋）」の文字を付加することによって、複数の候補の存在が表現される。複数の候補の存在は、たとえば、表示オブジェクトの後方に複数の枠を付加すること、または付加される枠の個数を数字で示すことによって、表現される。
【００６７】
表示オブジェクトは、以上のように一方が優先的に表示されてもよいが、１つの表示オブジェクトが代表して表示されてもよい。図７は、１つの表示オブジェクトを代表して表示する場合の地図６０の一例を示す図である。図８は、１つの表示オブジェクトを代表して表示する場合の地図６１の他の例を示す図である。
【００６８】
１つの表示オブジェクトを代表して表示する場合、優先度が高い方の地点情報で規定される地点に存在する施設を表す表示オブジェクトが代表して表示される。たとえば、第２の地点情報の方が、第１の地点情報よりも優先度が高い場合、図７の地図６０に示すように、設定領域５２内に第２の表示オブジェクト５１が代表して表示される。第１の地点情報の方が、第２の地点情報よりも優先度が高い場合、図８の地図６１に示すように、設定領域５２内に第１の表示オブジェクト４１が代表して表示される。
【００６９】
図９は、設定領域７３の具体例を示す図である。前述の予め定める範囲である設定領域７３は、少なくとも、第１の地点と第２の地点との距離、ならびに第１の施設および第２の施設が占める領域の大きさに基づいて設定される。具体的には、各施設の占める領域の大きさが大きいほど、設定領域７３の大きさが大きく、第１の地点と第２の地点との距離が大きくてもよい。
【００７０】
たとえば、第２の地点の施設７２の占める領域が、一辺が１０ｍの正方形で表される場合、図９（ａ）に示すように、一辺の２倍の半径２０ｍ以内の領域が設定領域７３とされ、設定領域７３内に存在する他の地点の施設、たとえば第１の地点の施設７１が、第２の地点の施設７２と同一の施設の候補とされる。
【００７１】
また、たとえば、第２の地点の施設７２の占める領域が、一辺が２０ｍの正方形で表される場合、図９（ｂ）に示すように、一辺の長さと同じ半径２０ｍ以内の領域が設定領域７３とされ、設定領域７３内に存在する他の地点の施設、たとえば第１の地点の施設７１が、第２の地点の施設７２と同一の施設の候補とされる。
【００７２】
また、たとえば、図９（ｃ）に示すように、第１の地点の施設７１と、第２の地点の施設７２とが、明らかに属性およびパラメータが異なる場合には、同一の施設の候補とされない。図９（ｃ）に示す例では、第２の地点の施設７２が占める領域の大きさは、第１の地点の施設７１が占める領域の大きさの４倍以上となっており、大幅に異なるので、第１の地点の施設７１は、設定領域７３内に存在しても、第２の地点の施設７２と同一の施設の候補とはされない。
【００７３】
図１０は、本発明の第２の実施の形態における地図表示処理の処理手順を示すフローチャートである。図１０に示すフローチャートの各処理は、表示情報生成システム３によって実現される。図１０に示すフローチャートの処理は、表示情報生成システム３の電源が投入されると開始され、ステップａ１に移行する。
【００７４】
ステップａ１において、制御部３１は、表示オブジェクト生成部３４および表示出力部３５に指示して、表示装置２に、第１の地点情報を含む地図データに基づいて地図を表示する。
【００７５】
ステップａ２において、制御部３１は、第２の地点情報を取得する要求が入力されたか否かを判断する。入力されたと判断した場合は、ステップａ３に移行し、入力されていないと判断した場合は、ステップａ１に戻る。
【００７６】
ステップａ３において、制御部３１は、第１サーバ装置２１または第２サーバ装置２２から第２の地点情報を取得する。
【００７７】
ステップａ４において、表示オブジェクト生成部３４は、第１の地点と第２の地点との距離が予め定める範囲内であるか否かを判断する。予め定める範囲内であると判断した場合は、ステップａ５に移行し、予め定める範囲内ではないと判断した場合は、ステップａ９に移行する。
【００７８】
ステップａ５において、表示オブジェクト生成部３４は、優先度を判定する。ステップａ６において、表示オブジェクト生成部３４は、第１の地点情報と第２の地点情報とが同一の施設に関する情報であるか否かを判断する。同一の施設に関する情報であると判断した場合は、ステップａ７に移行し、同一の施設に関する情報ではないと判断した場合は、ステップａ８に移行する。
【００７９】
ステップａ７において、表示オブジェクト生成部３４は、優先度が高い地点情報の施設を代表して表示する。ステップａ７の処理を終了した後は、全ての処理手順を終了する。
【００８０】
ステップａ８において、表示オブジェクト生成部３４は、優先度が高い地点情報の施設を優先的に表示する。ステップａ８の処理を終了した後は、全ての処理手順を終了する。
【００８１】
ステップａ９において、表示オブジェクト生成部３４は、第１の地点情報の施設と、第２の地点情報の施設との両方を表示する。ステップａ９の処理を終了した後は、全ての処理手順を終了する。
【００８２】
以上のように本実施の形態によれば、表示オブジェクト生成部３４は、第１の地点と前記第２の地点との距離が予め定める範囲内である場合、第１の地点情報および第２の地点情報の優先度に基づいて、第１の表示オブジェクトおよび第２の表示オブジェクトのうち、優先度が高い方の地点情報で規定される地点に存在する施設を表す表示オブジェクトを優先的に表示するように、表示情報を生成する。これによって、第１の地点情報および第２の地点情報を含む複数の地点情報に基づいて地図上に地点を表示する場合に、地図上における表示が繁雑になることを防ぐことができる。
【００８３】
また本実施の形態では、表示オブジェクト生成部３４は、第１の地点情報および第２の地点情報のうち、いずれか一方の優先度を、他方の優先度よりも高く設定する。これによって、優先的に表示したい施設を規定する地点情報の優先度を、他の地点情報よりも高く設定することができる。したがって、優先的に表示したい施設を、より確実に優先的に表示させることができるので、使用者の利便性を向上させることができる。
【００８４】
また本実施の形態では、表示オブジェクト生成部３４は、第１の施設の属性と第２の施設の属性とが異なる場合、その属性に基づいて、第１の地点情報および第２の地点情報の優先度を判断する。これによって、施設の属性に応じた地図表示を行うことができるので、使用者の利便性を向上させることができる。
【００８５】
表示オブジェクト生成部３４は、表示装置２が搭載される車両の種類、車両の運転者、車両の環境状態、および車両の目的地に基づいて、複数の属性情報の中で、優先する属性情報の順番を変更するように構成される。これによって、車両の状態に応じた地図表示を行うことができるので、使用者の利便性を向上させることができる。
【００８６】
表示オブジェクト生成部３４は、第１の地点情報および第２の地点情報の取得先の信頼度に基づいて、第１の地点情報および第２の地点情報の優先度を判断するように構成されてもよい。これによって、より正確な地図表示を行うことができる。
【００８７】
また、表示オブジェクト生成部３４は、第１の施設および第２の施設の属性に基づいて、第１の施設および第２の施設の変化しない確率を判断し、変化しない確率が高いほど、優先度が高いと判断するように構成されてもよい。これによって、より正確な地図表示を行うことができる。
【００８８】
また、表示オブジェクト生成部３４は、第１の地点情報および第２の地点情報の取得先からそれぞれ取得される道路情報に基づいて、道路が変化していると判断した場合、第１の施設および第２の施設のうち、更新日時が新しい道路情報で表される道路の形状に合致する程度を表す合致度を判断し、合致度が高いほど、優先度が高いと判断するように構成されてもよい。これによって、より正確な地図表示を行うことができる。
【００８９】
本実施の形態では、表示オブジェクト生成部３４は、たとえば図４に示すように、優先度が高い方の地点情報で規定される地点に存在する施設を表す表示オブジェクトを前面に表示するように、表示情報を生成する。これによって、視認性を確保しつつ、優先度の高い情報を使用者に提供することができる。
【００９０】
また本実施の形態では、図１０のステップａ６〜ステップａ７に示すように、表示オブジェクト生成部３４は、第１の地点情報と第２の地点情報とが同一の施設に関する情報であると判断されると、第１の表示オブジェクトおよび第２の表示オブジェクトのうち、いずれか一方を代表して表示するように、表示情報を生成する。これによって、視認性を向上させることができる。
【００９１】
また表示オブジェクト生成部３４は、第１の地点と第２の地点との距離が予め定める範囲内であり、かつ第１の施設と第２の施設とが異なると判断すると、第１の地点情報および第２の地点情報の取得先以外から取得される第３の地点情報に基づいて、第１の表示オブジェクトおよび第２の表示オブジェクトのうち、いずれか一方または両方を表示するように、表示情報を生成することが好ましい。これによって、たとえば、第１の地点情報と第２の地点情報とのうち、間違っている可能性の高い地点情報を排除することができる。したがって、より正確な地図表示を行うことができる。
【００９２】
また本実施の形態では、前述の図９に示すように、予め定める範囲は、少なくとも、第１の地点と第２の地点との距離、ならびに第１の施設および第２の施設が占める領域の大きさに基づいて、設定される。これによって、適切な範囲で、優先表示などを行うことができるので、より正確な地図表示を行うことができる。
【００９３】
予め定める範囲は、第１の地点と第２の地点との距離、第１の施設および第２の施設が占める領域の大きさ、ならびに第１の施設および第２の施設を含む施設の密集度に基づいて、設定されることがさらに好ましい。これによって、より適切な範囲で、優先表示などを行うことができるので、さらに正確な地図表示を行うことができる。
【００９４】
＜第３の実施の形態＞
本発明の第３の実施の形態における表示情報生成システムは、表示オブジェクト生成部３４の処理が異なること以外は、第２の実施の形態における表示情報生成システム３と同様の構成であるので、図示を省略し、共通する説明を省略する。
【００９５】
本実施の形態の表示情報生成システムでは、表示オブジェクト生成部３４は、第１の地点と第２の地点との距離が予め定める範囲内である場合、第１の地点情報および第２の地点情報の取得先に基づいて、第１の表示オブジェクトおよび第２の表示オブジェクトのうち、少なくとも一方の表示オブジェクトを取得先毎に定める表示形態で表示するように、表示情報を生成する。
【００９６】
図１１は、本発明の第３の実施の形態における表示オブジェクトの表示形態の一例を示す図である。本実施の形態では、図１１に示すように、第１の表示オブジェクト４１および第２の表示オブジェクト５１のうち、少なくとも一方の表示オブジェクト、たとえば第２の表示オブジェクト５１が、設定領域５２内で、色を付けて表示される。
【００９７】
図１２は、本発明の第３の実施の形態における表示オブジェクトの表示形態の他の例を示す図である。本実施の形態では、第２の実施の形態と同様に、図１２に示すように、第１の表示オブジェクト４１および第２の表示オブジェクト５１のうち、一方を優先的に表示されてもよい。具体的には、優先度の高い方、たとえば第１の表示オブジェクト４１が前面に表示され、第２の表示オブジェクト５１が背面において、色を付けて表示されてもよい。
【００９８】
図１３は、本発明の第３の実施の形態における表示オブジェクトの表示形態の他の例を示す図である。本実施の形態では、図１３に示すように、第１の表示オブジェクト４１および第２の表示オブジェクト５１のうち、一方の表示オブジェクト、たとえば第２の表示オブジェクト５１を代表して表示させてもよい。このとき、第２の表示オブジェクト５１は、色を付けて表示される。
【００９９】
図１４は、本発明の第３の実施の形態における設定領域７３の一例を示す図である。本実施の形態においても、前述の図９に示す第２の実施の形態の場合と同様に、予め定める範囲である設定領域７３は、少なくとも、第１の地点と第２の地点との距離、ならびに第１の施設および第２の施設が占める領域の大きさに基づいて設定される。
【０１００】
たとえば、色付きで表示される第２の地点の施設７２の占める領域が、一辺が１０ｍの正方形で表される場合、図１４（ａ）に示すように、一辺の２倍の半径２０ｍ以内の領域が設定領域７３とされ、設定領域７３内に存在する他の地点の施設、たとえば第１の地点の施設７１が、第２の地点の施設７２と同一の施設の候補とされる。
【０１０１】
また、たとえば、第２の地点の施設７２の占める領域が、一辺が２０ｍの正方形で表される場合、図１４（ｂ）に示すように、一辺の長さと同じ半径２０ｍ以内の領域が設定領域７３とされ、設定領域７３内に存在する他の地点の施設、たとえば第１の地点の施設７１が、第２の地点の施設７２と同一の施設の候補とされる。
【０１０２】
また、たとえば、図１４（ｃ）に示すように、第１の地点の施設７１と、第２の地点の施設７２とが、明らかに属性およびパラメータが異なる場合には、同一の施設の候補とされない。図１４（ｃ）に示す例では、第２の地点の施設７２が占める領域の大きさは、第１の地点の施設７１が占める領域の大きさの４倍以上となっており、大幅に異なるので、第１の地点の施設７１は、設定領域７３内に存在しても、第２の地点の施設７２と同一の施設の候補とはされない。
【０１０３】
図１５は、本発明の第３の実施の形態における地図表示処理の処理手順を示すフローチャートである。図１５では、前述の図１１に示すように、地点情報の取得先毎に定める表示形態で表示オブジェクトを表示する場合の地図表示処理の処理手順を示す。図１５に示すフローチャートの各処理は、表示情報生成システム３によって実現される。図１５に示すフローチャートの処理は、表示情報生成システム３の電源が投入されると開始され、ステップｂ１に移行する。
【０１０４】
ステップｂ１において、制御部３１は、表示オブジェクト生成部３４および表示出力部３５に指示して、表示装置２に、第１の地点情報を含む地図データに基づいて地図を表示する。
【０１０５】
ステップｂ２において、制御部３１は、第２の地点情報を取得する要求が入力されたか否かを判断する。入力されたと判断した場合は、ステップｂ３に移行し、入力されていないと判断した場合は、ステップｂ１に戻る。
【０１０６】
ステップｂ３において、制御部３１は、第１サーバ装置２１または第２サーバ装置２２から第２の地点情報を取得する。
【０１０７】
ステップｂ４において、表示オブジェクト生成部３４は、第１の地点と第２の地点との距離が予め定める範囲内であるか否かを判断する。予め定める範囲内であると判断した場合は、ステップｂ５に移行し、予め定める範囲内ではないと判断した場合は、ステップｂ６に移行する。
【０１０８】
ステップｂ５において、表示オブジェクト生成部３４は、第１の地点情報の施設と第２の地点情報の施設とを異なる色で表示する。ステップｂ５の処理を終了した後は、全ての処理手順を終了する。
【０１０９】
ステップｂ６において、表示オブジェクト生成部３４は、第１の地点情報の施設と第２の地点情報の施設とを同一の色で表示する。ステップｂ６の処理を終了した後は、全ての処理手順を終了する。
【０１１０】
図１６は、本発明の第３の実施の形態における地図表示処理の他の処理手順を示すフローチャートである。図１６では、前述の図１２および図１３に示すように、優先度に基づいて、地点情報の取得先毎に定める表示形態で表示オブジェクトを表示する場合の地図表示処理の処理手順を示す。図１６に示すフローチャートの各処理は、表示情報生成システム３によって実現される。図１６に示すフローチャートの処理は、表示情報生成システム３の電源が投入されると開始され、ステップｃ１に移行する。
【０１１１】
ステップｃ１において、制御部３１は、表示オブジェクト生成部３４および表示出力部３５に指示して、表示装置２に、第１の地点情報を含む地図データに基づいて地図を表示する。
【０１１２】
ステップｃ２において、制御部３１は、第２の地点情報を取得する要求が入力されたか否かを判断する。入力されたと判断した場合は、ステップｃ３に移行し、入力されていないと判断した場合は、ステップｃ１に戻る。
【０１１３】
ステップｃ３において、制御部３１は、第１サーバ装置２１または第２サーバ装置２２から第２の地点情報を取得する。
【０１１４】
ステップｃ４において、表示オブジェクト生成部３４は、第１の地点と第２の地点との距離が予め定める範囲内であるか否かを判断する。予め定める範囲内であると判断した場合は、ステップｃ５に移行し、予め定める範囲内ではないと判断した場合は、ステップｃ９に移行する。
【０１１５】
ステップｃ５において、表示オブジェクト生成部３４は、優先度を判定する。ステップｃ６において、表示オブジェクト生成部３４は、第１の地点情報と第２の地点情報とが同一の施設に関する情報であるか否かを判断する。同一の施設に関する情報であると判断した場合は、ステップｃ７に移行し、同一の施設に関する情報ではないと判断した場合は、ステップｃ８に移行する。
【０１１６】
ステップｃ７において、表示オブジェクト生成部３４は、優先度が高い地点情報の施設を、取得先に応じた色で代表して表示する。ステップｃ７の処理を終了した後は、全ての処理手順を終了する。
【０１１７】
ステップｃ８において、表示オブジェクト生成部３４は、第１の地点情報の施設と第２の地点情報の施設とを異なる色で、かつ優先度が高い地点情報の施設を優先的に表示する。ステップｃ８の処理を終了した後は、全ての処理手順を終了する。
【０１１８】
ステップｃ９において、表示オブジェクト生成部３４は、第１の地点情報の施設と、第２の地点情報の施設とを同一の色で表示する。ステップｃ９の処理を終了した後は、全ての処理手順を終了する。
【０１１９】
以上のように本実施の形態では、表示オブジェクト生成部３４は、第１の地点と第２の地点との距離が予め定める範囲内である場合、第１の地点情報および第２の地点情報の取得先に基づいて、第１の表示オブジェクトおよび第２の表示オブジェクトのうち、少なくとも一方の表示オブジェクトを取得先毎に定める表示形態で、たとえば色を付けて表示するように、表示情報を生成する。これによって、第１の地点情報および第２の地点情報を含む複数の地点情報に基づいて地図上に地点を表示する場合に、地図上における表示が繁雑になることを防ぐことができる。
【０１２０】
また本実施の形態においても、表示オブジェクト生成部３４は、第１の地点情報および第２の地点情報の優先度に基づいて、第１の表示オブジェクトおよび第２の表示オブジェクトのうち、優先度が高い方の地点情報で規定される地点に存在する施設を表す表示オブジェクトを優先的に表示するように、表示情報を生成することが好ましい。これによって、視認性を向上させることができる。
【０１２１】
以上の各実施の形態では、外部から第２の地点情報が取得されるが、外部から取得される地点情報は、２つ以上であってもよい。この場合、たとえば図１７〜図１９に示すように表示される。
【０１２２】
図１７は、外部から取得される地点情報が２つ以上ある場合の表示形態の一例を示す図である。たとえば、地図データ記憶部１１から取得される第１の地点情報と、外部から取得される第２および第３の地点情報とが存在する場合、図１７に示すように、優先順位の高い地点情報で規定される施設が前面に表示され、残りの施設が一部を重複させて背面に表示される。たとえば、第１〜第３の地点情報で規定される施設の表示オブジェクト９１〜９３が、店舗Ａ、店舗Ｂ、店舗Ｃであり、優先順位が店舗Ｂ、店舗Ａ、店舗Ｃの順である場合、図１７（ａ）に示すように、前面側から順に、店舗Ｂ、店舗Ａ、店舗Ｃが表示される。
【０１２３】
図１７（ａ）に示す状態で、たとえば店舗Ｂにタッチし、スライドする操作を行うと、図１７（ｂ）に示すように、全ての表示オブジェクト９１〜９３が表示される選択画面に切替わる。この選択画面において、たとえば店舗Ｃの表示オブジェクト９３にタッチすると、図１７（ｃ）に示すように、タッチされた表示オブジェクト、ここでは店舗Ｃの表示オブジェクト９３が、前面に表示されるように切替わる。
【０１２４】
図１８は、選択画面でフリック操作を行った場合の表示形態の一例を示す図である。図１７（ｂ）と同様の図１８（ａ）に示す選択画面において、たとえば店舗Ｂの表示オブジェクト９２をフリックする操作を行うと、図１８（ｂ）に示すように、フリックされた表示オブジェクト、ここでは店舗Ｂの表示オブジェクト９２が排除され、店舗Ａおよび店舗Ｃの表示オブジェクト９１，９３のみが表示されるように切替わる。
【０１２５】
このように、表示オブジェクト生成部３４は、優先度が高い方の地点情報で規定される地点に存在する施設を表す表示オブジェクトを前面に表示するとともに、タッチまたはフリックなどの予め定める操作によって他の表示オブジェクトを表示するように、表示情報を生成するように構成されてもよい。これによって、使用者の利便性を向上させることができる。
【０１２６】
また表示オブジェクト生成部３４は、図１７（ａ）および図１７（ｃ）のように、優先度が高い方の地点情報で規定される地点に存在する施設を表す表示オブジェクトを前面に表示するとともに、他の表示オブジェクトの候補があることを示すように、表示情報を生成する。これによって、視認性を確保しつつ、他の表示オブジェクトの候補があることを使用者に提示することができる。したがって、使用者の利便性を向上させることができる。
【０１２７】
図１９は、フリック操作を行った場合の表示状態の一例を示す図である。図１９（ａ）に示すように、店舗Ｂ、店舗Ａ、店舗Ｃの順に、表示オブジェクト９１〜９３が表示されているときに、たとえば店舗Ｂの表示オブジェクト９２をフリックすると、図１９（ｂ）に示すように、店舗Ｂの表示オブジェクト９２が最背面に表示されるように切替わる。
【０１２８】
この状態で、さらに店舗Ａの表示オブジェクト９１をフリックすると、図１９（ｃ）に示すように、店舗Ａの表示オブジェクト９１が最背面に表示されるように切替わる。さらに、店舗Ｃの表示オブジェクト９３をフリックすると、図１９（ｄ）に示すように、店舗Ｃの表示オブジェクト９３が最背面に表示されるように切替わる。
【０１２９】
図１７、図１８および図１９に示すように、表示オブジェクト生成部３４は、スライドなどの予め定める操作によって、第１の表示オブジェクトおよび第２の表示オブジェクトを含む複数の表示オブジェクトを表示するとともに、フリックなどの他の予め定める操作によって、複数の表示オブジェクトのうち、いずれかを排除または表示順を変更可能なように、表示情報を生成する。これによって、視認性を向上させることができる。
【０１３０】
このとき、表示オブジェクト生成部３４は、他の予め定める操作が行われたときに、地図データ記憶部１１から取得された地点情報で規定される施設を表す表示オブジェクト、ここでは第１の表示オブジェクトを排除せずに残すように、表示情報を生成することが好ましい。このようにすることによって、基準となる表示オブジェクトが排除されてしまうことを防ぐことができるので、より正確な地図表示を行うことができる。
【０１３１】
また、表示オブジェクト生成部３４は、他の予め定める操作が行われた後で、他の予め定める操作によって前面に表示するように指示された表示オブジェクトを規定する地点情報の取得先と同じ取得先から取得された地点情報で規定される地点に存在する施設を表す表示オブジェクトを、前面に表示するように、表示情報を生成することが好ましい。これによって、再度、使用者が操作を行うことなく、所望の表示オブジェクトを前面に表示させることができる。したがって、使用者の利便性を向上させることができる。
【０１３２】
＜第４の実施の形態＞
本発明の第４の実施の形態における表示情報生成システムは、表示オブジェクト生成部３４の処理が異なること以外は、第２の実施の形態における表示情報生成システム３と同様の構成であるので、図示を省略し、共通する説明を省略する。
【０１３３】
本実施の形態の表示情報生成システムでは、表示オブジェクト生成部３４は、第１の地点と第２の地点との距離が予め定める範囲内である場合、第１の表示オブジェクトおよび第２の表示オブジェクトをグループ化して表示するように、表示情報を生成する。
【０１３４】
図２０は、本発明の第４の実施の形態における表示オブジェクトを含む地図１００の一例を示す図である。本実施の形態では、たとえば図２０に示す地図１００のように、第１の地点と第２の地点とが設定領域５２内に存在する場合、第１の表示オブジェクト１０１および第２の表示オブジェクト１０２はグループ化されて、たとえば参照符号１０３で示される枠で囲って表示される。
【０１３５】
図２１は、本発明の第４の実施の形態における表示オブジェクトを含む地図１０５の他の例を示す図である。本実施の形態においても、たとえば図２１に示す地図１０５のように、一方の表示オブジェクト、たとえば第２の表示オブジェクト１０２を、色を付けて表示するようにしてもよい。
【０１３６】
図２２は、本発明の第４の実施の形態において、タッチ操作を行った場合の表示形態の一例を示す図である。図２２（ａ）に示す地図１００のように、第１の表示オブジェクト１０１と第２の表示オブジェクト１０２とが、グループ化して表示されている場合に、グループ化された領域１０３にタッチすると、図２２（ｂ）に示す地図１１０のように、グループ化された領域１０３が拡大して表示される。
【０１３７】
図２３は、本発明の第４の実施の形態における地図表示処理の処理手順を示すフローチャートである。図２３に示すフローチャートの各処理は、表示情報生成システム３によって実現される。図２３に示すフローチャートの処理は、表示情報生成システム３の電源が投入されると開始され、ステップｄ１に移行する。
【０１３８】
ステップｄ１において、制御部３１は、表示オブジェクト生成部３４および表示出力部３５に指示して、表示装置２に、第１の地点情報を含む地図データに基づいて地図を表示する。
【０１３９】
ステップｄ２において、制御部３１は、第２の地点情報を取得する要求が入力されたか否かを判断する。入力されたと判断した場合は、ステップｄ３に移行し、入力されていないと判断した場合は、ステップｄ１に戻る。
【０１４０】
ステップｄ３において、制御部３１は、第１サーバ装置２１または第２サーバ装置２２から第２の地点情報を取得する。
【０１４１】
ステップｄ４において、表示オブジェクト生成部３４は、第１の地点と第２の地点との距離が予め定める範囲内であるか否かを判断する。予め定める範囲内であると判断した場合は、ステップｄ５に移行し、予め定める範囲内ではないと判断した場合は、ステップｄ６に移行する。
【０１４２】
ステップｄ５において、表示オブジェクト生成部３４は、第１の地点情報の施設と第２の地点情報の施設とをグループ化して表示する。ステップｄ５の処理を終了した後は、全ての処理手順を終了する。
【０１４３】
ステップｄ６において、表示オブジェクト生成部３４は、第１の地点情報の施設と第２の地点情報の施設とを個別に表示する。ステップｄ６の処理を終了した後は、全ての処理手順を終了する。
【０１４４】
以上のように本実施の形態によれば、表示オブジェクト生成部３４は、第１の地点と第２の地点との距離が予め定める範囲５２内である場合、第１の表示オブジェクト１０１および第２の表示オブジェクト１０２をグループ化して領域１０３として表示するように、表示情報を生成する。これによって、第１の地点情報および第２の地点情報を含む複数の地点情報に基づいて地図上に地点を表示する場合に、地図上における表示が繁雑になることを防ぐことができる。
【０１４５】
本実施の形態では、表示オブジェクト生成部３４は、図２０〜図２２に示すように、第１の表示オブジェクト１０１および第２の表示オブジェクト１０２をグループ化して領域１０３として表示する場合、第１の表示オブジェクト１０１および第２の表示オブジェクト１０２を、個別に表示する場合よりも縮小して表示するように、表示情報を生成する。これによって、視認性を向上させることができる。
【０１４６】
表示オブジェクト生成部３４は、図２０〜図２２に示すように、第１の表示オブジェクト１０１および第２の表示オブジェクト１０２をグループ化して領域１０３として表示する場合、グループ化された領域１０３の背景を半透過状態で表示するように、表示情報を生成してもよい。これによって、視認性をさらに向上させることができる。
【０１４７】
また表示オブジェクト生成部３４は、図２０〜図２２に示すように、第１の表示オブジェクト１０１および第２の表示オブジェクト１０２をグループ化して領域１０３として表示する場合、前記第１の施設および前記第２の施設の名称とともに表示するように、表示情報を生成してもよい。これによって、使用者の利便性を向上させることができる。
【０１４８】
また表示オブジェクト生成部３４は、図２２に示すように、第１の表示オブジェクト１０１および第２の表示オブジェクト１０２をグループ化して領域１０３として表示する場合に、予め定める拡大操作、たとえばタッチによって、グループ化された領域１０３を拡大して表示するように、表示情報を生成してもよい。これによって、使用者の利便性を向上させることができる。
【０１４９】
このようにグループ化された領域１０３を拡大して表示するとき、表示オブジェクト生成部３４は、グループ化された領域１０３の透過率が拡大前よりも低くなるように、表示情報を生成することが好ましい。これによって、視認性を向上させることができる。
【０１５０】
また表示オブジェクト生成部３４は、図２０〜図２２に示すように、第１の表示オブジェクト１０１および第２の表示オブジェクト１０２をグループ化して領域１０３として表示する場合、予め定める排除変更操作によって、第１の表示オブジェクト１０１および第２の表示オブジェクト１０２のうち、いずれかを排除または表示箇所を変更可能なように、表示情報を生成することが好ましい。これによって、視認性を向上させることができる。ここで、排除変更操作は、たとえば、前述の図１７および図１８に示すタッチ操作およびフリック操作である。
【０１５１】
表示オブジェクト生成部３４は、排除変更操作が行われたときに、地図データ記憶部１１から取得された地点情報で規定される施設を表す表示オブジェクト、ここでは第１の表示オブジェクトを排除せずに残すように、表示情報を生成することが好ましい。このようにすることによって、基準となる表示オブジェクトが排除されてしまうことを防ぐことができるので、より正確な地図表示を行うことができる。
【０１５２】
＜第５の実施の形態＞
図２４は、本発明の第５の実施の形態である表示情報生成システム４の構成を示すブロック図である。本実施の形態の表示情報生成システム４は、前述の第２の実施の形態の表示情報生成システム３と構成が類似しているので、同一の構成については同一の参照符号を付して、共通する説明を省略する。
【０１５３】
本実施の形態の表示情報生成システム４は、サーバ装置によって実現される。表示情報生成システム４であるサーバ装置は、地図データ記憶部１１、拡張記憶部１２、地図ＤＢ２５、制御部３１、操作情報取得部３２、通信部３３、表示オブジェクト生成部３４および表示出力部３５を備えて構成される。
【０１５４】
本実施の形態において、操作入力装置２４および表示装置２は、車両に搭載される。表示情報生成システム４は、第１サーバ装置２１、通信端末装置２３および表示装置２と通信可能に接続されている。表示情報生成システム４と、第１サーバ装置２１、通信端末装置２３および表示装置２とが通信を行う場合、たとえば、無線ＬＡＮなどの無線によって、互いに通信可能に接続される。
【０１５５】
このように表示情報生成システム４がサーバ装置によって実現される場合でも、前述の第１〜第４の実施の形態と同様の効果を得ることができる。
【０１５６】
＜第６の実施の形態＞
図２５は、本発明の第６の実施の形態において、通信端末装置５およびナビゲーション装置６を用いて表示情報生成システムを構成する場合のブロック図である。本実施の形態の表示情報生成システムは、前述の第２の実施の形態の表示情報生成システム３と構成が類似しているので、同一の構成については同一の参照符号を付して、共通する説明を省略する。
【０１５７】
本実施の形態の表示情報生成システムは、通信端末装置５およびナビゲーション装置６を用いて構成される。通信端末装置５は、携帯可能に構成され、たとえば携帯電話機、スマートフォンまたはタブレット型端末装置によって実現される。通信端末装置５は、地図データ記憶部１１、拡張記憶部１２、制御部３１、操作情報取得部３２、通信部３３、表示オブジェクト生成部３４および表示出力部３５を備えて構成される。
【０１５８】
ナビゲーション装置６は、たとえば、カーナビゲーション装置によって実現される。ナビゲーション装置６は、カーナビゲーション装置に限定されるものではなく、たとえばＰＮＤ（Portable Navigation Device）によって実現されてもよい。ナビゲーション装置６には、表示装置２が接続される。表示装置２は、たとえば、車両に搭載されるディスプレイであり、通信端末装置５の外部に設けられる。
【０１５９】
本実施の形態において、ナビゲーション装置６、操作入力装置２４および表示装置２は、車両に搭載される。また、本実施の形態の表示情報生成システムを構成する通信端末装置５は、たとえば運転者などによって車両内に持ち込まれる。通信端末装置５と、通信端末装置５の外部に設けられる、ナビゲーション装置６、地図サーバ装置７、第１サーバ装置２１、通信端末装置２３および操作入力装置２４とは、たとえば無線ＬＡＮなどの無線によって、互いに通信可能に接続される。
【０１６０】
具体的には、通信端末装置５の操作情報取得部３２は、操作入力装置２４と通信可能に接続される。表示出力部３５は、ナビゲーション装置６と通信可能に接続される。地図データ記憶部１１は、車両の外部の地図サーバ装置７に設けられる地図ＤＢ２５と通信可能に接続される。地図データ記憶部１１は、通信によって、地図サーバ装置７に設けられる地図ＤＢ２５から地図データを取得するように構成される。
【０１６１】
通信端末装置５の表示出力部３５は、表示オブジェクト生成部３４から与えられる表示情報を、ナビゲーション装置６を介して、表示装置２に出力する。具体的には、通信端末装置５の表示出力部３５は、表示オブジェクト生成部３４から与えられる表示情報を、表示装置２で使用可能な映像信号に変換して、ナビゲーション装置６に出力する。
【０１６２】
ナビゲーション装置６は、通信端末装置５の表示出力部３５から与えられる映像信号を、そのまま表示装置２に出力する。表示装置２は、ナビゲーション装置６から与えられる映像信号に基づいて、前述の第１の表示オブジェクトおよび第２の表示オブジェクトを含む地図を表示画面上に表示する。
【０１６３】
このように表示情報生成システムが、通信端末装置５およびナビゲーション装置６を用いて構成される場合でも、前述の第１〜第４の実施の形態と同様の効果を得ることができる。
【０１６４】
本実施の形態では、地図ＤＢ２５が車両の外部の地図サーバ装置７に設けられる構成について述べたが、地図ＤＢ２５は、車両の内部に設けられてもよい。地図ＤＢ２５が車両の内部に設けられる場合、地図ＤＢ２５は、通信端末装置５と無線で接続されてもよいし、有線で接続されてもよい。また地図ＤＢ２５は、通信端末装置５の内部に設けられてもよい。地図ＤＢ２５が通信端末装置５の内部に設けられる場合、地図ＤＢ２５は、地図データ記憶部１１と同様の機能を実現するので、地図データ記憶部１１は不要となる。
【０１６５】
以上に述べたように、各実施の形態の表示情報生成システムは、車両に搭載可能なナビゲーション装置だけでなく、通信端末装置、およびサーバ装置などを適宜に組み合わせた表示情報生成システムにも適用することができる。通信端末装置は、たとえばサーバ装置と通信を行う機能を有するＰＮＤおよび携帯通信装置である。携帯通信装置は、たとえば携帯電話機、スマートフォンおよびタブレット型端末装置である。
【０１６６】
前述のようにナビゲーション装置と通信端末装置とサーバ装置とを適宜に組み合わせて表示情報生成システムが構築される場合、前述の表示情報生成システムの各機能および各構成要素、たとえば図２に示す地図データ記憶部１１、拡張記憶部１２、表示オブジェクト生成部３４および表示出力部３５は、前記表示情報生成システムを構築する各装置に分散して配置されてもよいし、いずれかの装置に集中して配置されてもよい。
【０１６７】
なお、本発明は、その発明の範囲内において、各実施の形態を自由に組み合わせることが可能である。また、各実施の形態の任意の構成要素を適宜、変更または省略することが可能である。
【符号の説明】
【０１６８】
１，３，４  表示情報生成システム、２  表示装置、５，２３  通信端末装置、６  ナビゲーション装置、７  地図サーバ装置、１１  地図データ記憶部、１２  拡張記憶部、１３  表示情報生成部、２１  第１サーバ装置、２２  第２サーバ装置、２４  操作入力装置、２５  地図ＤＢ、３１  制御部、３２  操作情報取得部、３３  通信部、３４  表示オブジェクト生成部、３５  表示出力部。
【図１】
0006335710.tif 000002
【図２】
0006335710.tif 000003
【図３】
0006335710.tif 000004
【図４】
0006335710.tif 000005
【図５】
0006335710.tif 000006
【図６】
0006335710.tif 000007
【図７】
0006335710.tif 000008
【図８】
0006335710.tif 000009
【図９】
0006335710.tif 000010
【図１０】
0006335710.tif 000011
【図１１】
0006335710.tif 000012
【図１２】
0006335710.tif 000013
【図１３】
0006335710.tif 000014
【図１４】
0006335710.tif 000015
【図１５】
0006335710.tif 000016
【図１６】
0006335710.tif 000017
【図１７】
0006335710.tif 000018
【図１８】
0006335710.tif 000019
【図１９】
0006335710.tif 000020
【図２０】
0006335710.tif 000021
【図２１】
0006335710.tif 000022
【図２２】
0006335710.tif 000023
【図２３】
0006335710.tif 000024
【図２４】
0006335710.tif 000025
【図２５】
0006335710.tif 000026